(57)【要約】【課題】  撮像出力が表わす画像の品質を高く維持，そのための照明光量の調整を容易化および複数読取モードのいずれでも適正光量を容易に設定。【解決手段】  蓄積時間周期のシフト信号ＳＨに応答して受光部から転送レジスタに受光信号を移送しそして転送レジスタを転送クロックΦ１，Φ２に同期してシリアル転送駆動することによりオプティカルブラックを含む無効画素信号およびそれに続けて有効画素信号をシリアル出力するＣＣＤ２０７；これにシフト信号ＳＨおよび転送クロックΦ１，Φ２を含む転送制御信号を与える信号タイミング制御手段２１３；ＣＣＤ２０７の撮像対象を照明する光源２３２；これをシフト信号ＳＨからオプティカルブラックの画素信号出力を終えるまでは消灯しその後に点灯するための点灯信号ＴＧを発生する点灯タイミング制御手段２０５；および、光源２３２を点灯信号ＴＧに応答して点灯／消灯する光源駆動手段２０４；を備える。【選択図】  図６
2005117222.tif 000002
【特許請求の範囲】
【請求項１】
蓄積時間周期のシフト信号に応答して受光部から転送レジスタに受光信号を移送しそして転送レジスタを転送クロックに同期してシリアル転送駆動することによりオプティカルブラックを含む無効画素信号およびそれに続けて有効画素信号をシリアル出力するイメージセンサ；
該イメージセンサに、前記シフト信号および転送クロックを含む転送制御信号を与える信号タイミング制御手段；
前記イメージセンサが撮像する対象を照明する光源；
前記光源を前記シフト信号から前記オプティカルブラックの画素信号の出力を終えるまでは消灯しその後に点灯するための点灯制御信号を発生する点灯タイミング制御手段；および、
前記光源を前記点灯制御信号に応答して点灯／消灯する光源駆動手段；
を備える撮像装置。
【請求項２】
前記点灯タイミング制御手段は、前記シフト信号に応答して前記点灯制御信号を消灯指定に切り換えて指定数のクロックの発生後に消灯指定を解除する、請求項１に記載の撮像装置。
【請求項３】
前記信号タイミング制御手段は、蓄積時間の異なる複数の読取モードのそれぞれに対応付けられた周期の前記シフト信号および転送クロックを前記イメージセンサに与え；前記点灯タイミング制御手段は、複数の読取モードのそれぞれに対応付けられた指定数のクロックの発生後に消灯指定を解除する；請求項２に記載の撮像装置。
【請求項４】
前記点灯タイミング制御手段は、前記オプティカルブラックの画素信号の出力を終えるまでは前記電源を消灯にするための消灯期間を規定する、前記シフト信号からのクロックの発生数である第１指定数と、前記シフト信号の周期内で指定点灯比を実現するための消灯期間を規定する、前記シフト信号からのクロックの発生数である第２指定数の、大きい値で定まる消灯期間の間前記光源を消灯しその後に点灯する点灯制御信号を発生する、請求項１乃至３の何れか１つに記載の撮像装置。
【請求項５】
前記点灯タイミング制御手段は、前記オプティカルブラックの画素信号の出力を終えるまでは前記電源を消灯にするための消灯期間を規定する、前記シフト信号からのクロックの発生数である第１指定数と、前記シフト信号の周期内で指定点灯比を実現するための、第１指定数で規定される前記消灯期間の後の点灯期間を規定する、クロックの発生数である第２指定数に基づいて該点灯期間のみ前記光源を点灯する点灯制御信号を発生する、請求項１乃至請求項３の何れか１つに記載の撮像装置。
【請求項６】
請求項１乃至５の何れか１つに記載の撮像装置；
画像データが表わす画像を用紙上に形成するプリンタ；および、
前記撮像装置が出力する画素信号を前記プリンタが適合する画像データに変換して該プリンタに出力する画情報処理手段；を備える画像形成装置。
【発明の詳細な説明】
【技術分野】
【０００１】
本発明は、蓄積時間周期のシフト信号に応答して受光部から転送レジスタに受光信号を移送しそして転送レジスタを転送クロックに同期してシリアル転送駆動することにより画素信号をシリアル出力するイメージセンサを用いる撮像装置および該撮像装置を用いる画像形成装置に関する。この撮像装置は、たとえばスキャナ，カメラ，複写機あるいはファクシミリに用いることができる。
【背景技術】
【０００２】
【特許文献１】特開平７−７４８９０号公報には、コンタクトガラス板２上の原稿１を蛍光灯４で照明し、原稿の反射光をイメージセンサであるＣＣＤラインセンサ９で画信号に変換する画像読取装置が記載されている。蛍光灯の光量をセンサ１２で検出して、光量検出値が目標値に合致するように、点灯／消灯比を、蓄積時間周期で変更する。原稿読取の間該点灯／消灯比での蛍光灯４の点灯制御が行われる（図４）。
【０００３】
【特許文献２】特開平１０−２８５３３８号公報には、上記特許文献１と同様な画像読取装置において、光量センサの検出値に基づいて生成したＰＷＭ信号を用いて、ＣＣＤラインセンサのライン同期信号ＳＹＮＣを基点に蛍光灯を点灯し、ＰＷＭ信号の点灯／消灯比を定める切換え点で蛍光灯を消灯する（図７）、ライン同期信号ＳＹＮＣ周期のＰＷＭ制御が記載されている。
【０００４】
【特許文献３】特開２００１−２７３９９６号公報には、スイッチングレギュレータを用いて定高電圧を生成し、これを電源としてインバータを用いて放電灯を点灯／消灯制御する放電灯点灯装置が記載されている。
【０００５】
【特許文献４】特開平１０−２３３８９１号公報には、Ｒ，Ｇ，Ｂ読取用の３個のＣＣＤラインセンサの露光量を個別に調整する電子式シャッタで、１ライン読取の始端から各色個別の所定期間だけシャッタを閉じてＣＣＤラインセンサにおける光電変換信号の蓄積を止めるカラー読取において、原稿照明用の放電灯を連続点灯した場合の温度上昇による光量変化を抑制するために、最短のシャッタ閉信号の期間だけ放電灯を消灯する原稿読取装置が記載されている。
【０００６】
特許文献１，２および３に開示があるように、ライン毎の露光量変化による異常画像（ライン毎の濃度変動）を防ぐ目的で、ライン同期信号を光源駆動回路に入力しＣＣＤセンサの入射光量を毎ライン一定にする点灯同期制御を行なっている。
【０００７】
図１１に、イメージセンサの、１ライン読取の先頭部の入出力信号を示し、図１２には一部の入出力信号を１ライン全長に渡って示す。なお、横軸は時間軸である。ＣＣＤには、その受光部の光電変換信号を蓄積した画信号を転送レジスタに移送するためのシフトゲート信号ＳＨ（ライン周期信号と等価）と、転送レジスタ内を電荷転送するための転送クロックΦ１，Φ２と、ＣＣＤ内の出力バッファをリセットするためのリセット信号ＲＳと、リセット直後の電気的な黒レベルをクランプするためのクランプゲート信号ＣＬＰ等の制御信号が与えられる。ＣＣＤの受光部は、シフトゲート信号ＳＨから次のシフトゲート信号ＳＨまでの期間、受光し続ける。この時間を蓄積時間という。転送クロックΦ１，Φ２は、この蓄積時間内にＣＣＤの１ライン上の全画素を転送できる周波数であり、ＣＣＤにおいてはこれに同期して画信号のシリアルシフトによる出力が行われる。しかし、シフト信号ＳＨがアクティブ期間中、すなわち受光部の光電変換信号を蓄積した画信号を転送レジスタに移送する間（図１１，１０の信号ＳＨが高レベルＨの期間）は、画信号のシリアル転送は行われない。
【０００８】
シフトゲート信号ＳＨの周期でＣＣＤから画信号Ｖｏ（その画素単位区分を画素信号という；特に断らない限り画素信号＝画信号）が出力されるが、出力開始の最初の部分（ライン先頭）の画信号には、空送り期間の画素信号，ＣＣＤの受光部の１ライン上の光電変換ピクセル列の先端部の完全に遮光されたピクセル（画素と同等）であるＯＰＢ（Optical Black：オプティカルブラック）の画素信号、および、ダミー信号と呼ばれる無効画素信号（有効画素以外の部分の信号）が有り、その後実際に原稿などを読み取った有効画素信号となる。
【０００９】
前記オプティカルブラックの画素信号は、光をシールドした黒出力であり、この部分で後段のＡ／Ｄ変換の読み取りレンジの暗い側の基準を決めている。シフトゲート信号ＳＨとほぼ同期した光源同期信号ＴＧによりランプ点灯開始される。
【発明の開示】
【発明が解決しようとする課題】
【００１０】
前述のように、オプティカルブラックの画素信号で後段のＡ／Ｄ変換の読み取りレンジの暗い側の基準を決めており、シフトゲート信号ＳＨとほぼ同期してランプ点灯が開始されると、撮像出力が表わす画像上で、暗い（黒）部分の画像にライン毎にシマ画像などの影響が出ることがある。その原因が、点灯開始がオプティカルブラックの画素信号の出力期間に有ると、ランプ点灯直後のエネルギーにより、ＣＣＤ周囲のＧＮＤラインにノイズが乗りやすく（図１３）、結果的に基準値がばらつくことによるものであることがわかった。
【００１１】
原稿読取装置においては、読取線速が違う読取モード（カラー／モノクロ）で、イメージセンサ（ＣＣＤ）のライン周期（ＣＣＤ蓄積時間）もその都度変更になる。その場合、各線速の違い（ライン周期）に対しＣＣＤの入射光量を一定にする必要がある。なぜならば、同じＣＣＤを使用し、その他光学系によるＣＣＤ入射される光束密度が一定ならば、その入射光量はライン周期（ＣＣＤ蓄積時間）に因ることになる。各ＣＣＤ入射光量には適正量が有る為、ライン周期が遅い場合は露光飽和、早い場合には露光不足となる傾向に有り、良質な読取画像を得られない。従って、ライン周期の違いに対して、ＣＣＤの入射光量を一定にする為には、光学系部品をその適性量になるように特化させる必要が有った。例えば、遮光材による絞り調整，ＣＣＤ感度調整（フィルタの調整，画素開口大きさの調整），光源照度の再設計（ランプ径，１発光あたりのランプ投入波形やエネルギ−）を行っている。
【００１２】
カラー／モノクロの各モードにおける読取速度の違う（速度：カラー＜モノクロ）画像形成装置は一般的であるが、特に光源の制御を行わない場合は、カラーの画像品質をモノクロより優先させる為、速度の遅いカラーのライン周期に合わせて上記光学系部品を選定し、ＣＣＤ後段の処理回路の仕様を決めていた。ＣＣＤ後段回路ではアナログ信号処理の可変ゲイン増幅を行うが、モノクロモードの場合のカラー仕様に合わせたハードウエアでダイナミックレンジ確保するのは困難であると共に、アナログ信号処理回路に掛かる負担が大きく、アナログ信号処理部の簡素化を阻む一因となっていた。特許文献４に記載の、電子式シャッタを用いる原稿読取装置でも、同様な課題が考えられる。
【００１３】
本発明は、撮像出力が表わす画像の品質を高く維持することを第１の目的とし、そのための照明光量の調整を容易にすることを第２の目的とし、複数の読取モードのいずれにおいてもそれぞれに適正な照明光量を容易に設定することができる撮像装置を提供することを第３の目的とする。
【課題を解決するための手段】
【００１４】
（１）蓄積時間周期のシフト信号(SH)に応答して受光部から転送レジスタに受光信号を移送しそして転送レジスタを転送クロック(Φ１,Φ２)に同期してシリアル転送駆動することによりオプティカルブラックを含む無効画素信号およびそれに続けて有効画素信号をシリアル出力するイメージセンサ(207)；
該イメージセンサに、前記シフト信号(SH)および転送クロック(Φ１,Φ２)を含む転送制御信号を与える信号タイミング制御手段(213)；
前記イメージセンサが撮像する対象を照明する光源(232)；
前記光源を前記シフト信号(SH)から前記オプティカルブラックの画素信号の出力を終えるまでは消灯しその後に点灯するための点灯制御信号(TG)を発生する点灯タイミング制御手段(205)；および、
前記光源を前記点灯制御信号に応答して点灯／消灯する光源駆動手段(204)；
を備える撮像装置。
【００１５】
なお、理解を容易にするためにカッコ内には、図面に示し後述する実施例の対応要素又は対応事項の記号を、例示として参考までに付記した。以下も同様である。
【発明の効果】
【００１６】
前記点灯タイミング制御手段(205)が、前記光源(232)を前記シフト信号(SH)から前記オプティカルブラックの画素信号の出力を終えるまでは消灯するので、光源(232)が消灯から点灯に切換ったときにこれによってイメージセンサ(207)周囲のＧＮＤラインにノイズが乗っても、オプティカルブラックの画素信号で定められる読み取りレンジの暗い側の基準は動揺せず、該ノイズに原因して暗い（黒）部分の画像にライン毎にシマ画像などの影響が出ることはなくなる。
【発明を実施するための最良の形態】
【００１７】
（２）前記点灯タイミング制御手段(205)は、前記シフト信号(SH)に応答して前記点灯制御信号(TG)を消灯指定(H)に切り換えて指定数(Obe)のクロックの発生後に消灯指定(H)を解除する、上記（１）に記載の撮像装置。ここでのクロックには、転送クロックに限らず、他のタイミング制御用あるいは計時用のクロックを用いることができる。
【００１８】
これによれば、指定数(Obe)を操作することによってシフト信号(SH)応答で発生する消灯指定(H)の期間を容易に調整できる。個々の撮像装置において、イメージセンサ(207)個々の特性に対応した個別の調整が容易である。ここでのクロックには、転送クロックに限らず、他のタイミング制御用あるいは計時用のクロックを用いることができる。以下の（３），（４），（５）および（５ａ）においても同様である。
【００１９】
（３）前記信号タイミング制御手段(213)は、蓄積時間の異なる複数の読取モード(Sm)のそれぞれに対応付けられた周期の前記シフト信号(SH)および転送クロック(Φ１,Φ２)を前記イメージセンサに与え；前記点灯タイミング制御手段(205)は、複数の読取モード(Sm)のそれぞれに対応付けられた指定数(Obe)のクロックの発生後に消灯指定(H)を解除する；上記（２）に記載の撮像装置。これによれば、例えばカラー読取モードとモノクロ読取モードそれぞれにおいて、上記（１）および（２）に記述の作用効果を得ることができる。
【００２０】
（４）前記点灯タイミング制御手段(205)は、前記オプティカルブラックの画素信号の出力を終えるまでは前記電源を消灯にするための消灯期間を規定する、前記シフト信号からのクロックの発生数である第１指定数(Obe)と、前記シフト信号(SH)の周期内で指定点灯比を実現するための消灯期間を規定する、前記シフト信号からのクロックの発生数である第２指定数(Dd1,Dd2)の、大きい値で定まる消灯期間の間前記光源を消灯しその後に点灯する点灯制御信号(TG)を発生する、上記（１）乃至（３）の何れか１つに記載の撮像装置。
【００２１】
これによれば、上記（１）および（２）に記述の作用効果に加えて、第２指定数(Dd1,Dd2)を用いて、適正光量の照明を行うことが出来、光量調整を容易にすることができる。この照明光量調整も、個々の撮像装置において、イメージセンサ(207)個々の特性に対応して容易に行うことができる。
【００２２】
（４ａ）前記点灯タイミング制御手段(205)は、前記シフト信号(SH)から前記オプティカルブラックの画素信号の出力を終えるまで消灯を指定する消灯指定信号(312のＱのＬ期間)を発生する第１手段(311,312)，前記シフト信号(SH)の周期の先頭で消灯指定(L)でその後で点灯指定(H)となる点灯比信号(315のＱ)を発生する第２手段(314,315)、および、消灯指定信号と点灯比信号の両方が点灯指定(H)の期間だけ点灯指定(L)の前記点灯制御信号(TG)を発生する第３手段(313G)；を含む上記（４）に記載の撮像装置。
【００２３】
これによれば、第１手段(314,315)を用いてシフト信号(SH)応答で発生するオプティカルブラック出力タイミング対応の消灯指定の期間を設定し、第２手段(313G)を用いて適正な照明光量となる点灯比を実現する、前記シフト信号(SH)の周期の先頭の消灯指定(L)期間を設定することができる。第３手段(313G)が、第１手段の消灯指定を第２手段の消灯指定より優先するので、オプティカルブラック出力タイミング対応の消灯指定の期間を容易に調整できる。これらの設定又は調整を、個々の撮像装置において、イメージセンサ(207)個々の特性に対応して容易に行うことができる。
【００２４】
（５）前記点灯タイミング制御手段(205)は、前記オプティカルブラックの画素信号の出力を終えるまでは前記電源を消灯にするための消灯期間を規定する、前記シフト信号からのクロックの発生数である第１指定数(Obe)と、前記シフト信号(SH)の周期内で指定点灯比を実現するための、前記第１指定数(Obe)で規定される前記消灯期間の後の点灯期間を規定する、クロックの発生数である第２指定数(Dd3,Dd4)に基づいて該点灯期間のみ前記光源を点灯する点灯制御信号(TG)を発生する、上記（１）乃至（３）の何れか１つに記載の撮像装置。
【００２５】
これによれば、上記（１）および（２）に記述の作用効果に加えて、第２指定数(Dd3,Dd4)を用いて、適正光量の照明を行うことが出来、光量調整を容易にすることができる。この照明光量調整も、個々の撮像装置において、イメージセンサ(207)個々の特性に対応して容易に行うことができる。
【００２６】
（５ａ）前記点灯タイミング制御手段(205)は、前記シフト信号(SH)から第１指定数(Obe)分のクロックをカウントするとその後第２指定数(Dd3,Dd4)分のクロックのカウントを開始するカウント手段(311,314)、および、該カウント手段が第２指定数(Dd3,Dd4)分のクロックのカウントをしている間のみ前記光源の点灯を指定する点灯制御信号(TG)を発生する手段(312)を含む、上記（５）に記載の撮像装置。
【００２７】
これによれば、カウント手段(311,314)を用いてシフト信号(SH)応答で発生するオプティカルブラック出力タイミング対応の消灯指定の期間外で適正な照明光量となる点灯比に従ったを期間だけ点灯することができる。第１指定数(Obe)によってオプティカルブラック出力タイミング対応の消灯指定の期間を容易に調整できる。これらの設定又は調整を、個々の撮像装置において、イメージセンサ(207)個々の特性に対応して容易に行うことができる。
【００２８】
（６）上記（１）乃至（５）の何れか１つに記載の撮像装置(210)；
画像データが表わす画像を用紙上に形成するプリンタ(PTR)；および、
前記撮像装置が出力する画素信号を前記プリンタが適合する画像データに変換して該プリンタに出力する画情報処理手段(ACP,CDIC,IPP)；を備える画像形成装置。
【００２９】
本発明の他の目的および特徴は、図面を参照した以下の実施例の説明より明らかになろう。
【実施例１】
【００３０】
図１に、本発明の第１実施例の複合機能フルカラーデジタル複写機を示す。このフルカラー複写機は、大略で、自動原稿送り装置（ＡＤＦ）２３０と、操作ボード２２０と、カラースキャナ２１０と、カラープリンタＰＴＲおよびフィニッシャ１００の各ユニットで構成されている。なお、操作ボード２２０，ＡＤＦ２３０付きのカラースキャナ２１０およびフィニッシャ１００は、プリンタＰＴＲから分離可能なユニットであり、カラースキャナ２１０は、動力機器ドライバやセンサ入力およびコントローラを有する制御ボードを有して、プリンタＰＴＲの機内の制御ボードの画像データ処理装置ＡＣＰ（図４）と直接または間接に通信を行いタイミング制御されて原稿画像の読み取りを行う。
【００３１】
画像データ処理装置ＡＣＰ（図４）には、パソコンＰＣが接続したＬＡＮ(Local Area Network)が接続されており、ファクシミリコントロールユニットＦＣＵ（図４）には、電話回線ＰＮ（ファクシミリ通信回線）に接続された交換器ＰＢＸが接続されている。カラープリンタＰＴＲのプリント済の用紙は、フィニッシャ１００に排出される。
【００３２】
図２に、カラープリンタＰＴＲの機構を示す。この実施例のカラープリンタＰＴＲは、レーザプリンタである。１色のトナー像を形成する、感光体１５および現像器２７ならびに図示を省略したチャージャ，クリーニング装置および転写器の組体（作像ユニット）は、Ｂｋ（黒），Ｃ（シアン），Ｍ（マゼンタ）およびＹ（イエロー）のそれぞれの作像用に一組、合せて４組があり、搬送ベルト１６に沿ってタンデムに配列されており、それらによって形成された各色トナー像が順次に一枚の転写紙上に重ねて転写される。
【００３３】
第１トレイ８，第２トレイ９および第３トレイ１０に積載された転写紙は、各々第１給紙装置１１，第２給紙装置１２および第３給紙装置１３によって給紙され、縦搬送ユニット１４によって感光体１５に当接する位置まで搬送される。
【００３４】
スキャナ２１０にて読み込まれた画像データは、画像データ処理器ＩＰＰ（図４）で補正され、一旦メモリＭＥＭ（図４）に書き込まれてから、読み出され、読み出した画像データを用いる図２の書込ユニット６０からのレーザー露光によって、図示を省略したチャージャによって均一に荷電した感光体１５に書込まれこれにより静電潜像を形成する。この静電潜像が現像ユニット２７を通過することによって感光体１５上にトナー像が現れる。転写紙が感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００３５】
図２に示す、後処理装置のフィニシャ１００は、本体の排紙ユニット１８によって搬送された転写紙を、通常排紙ローラ１０３方向と、ステープル処理部方向へ導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５，１０７を経由して、ステープル台１０８に搬送する事ができる。ステープル台１０８に積載された転写紙は、一枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００３６】
一方、通常の排紙トレイ１０４は前後（図２紙面と垂直な方向）に移動可能な排紙トレイである。前後に移動可能な排紙トレイ部１０４は、原稿毎、あるいは、画像メモリによってソーティングされたコピー部毎に、前後に移動し、排出されてくるコピー紙を簡易的に仕分けるものである。
【００３７】
転写紙の両面に画像を作像する場合は、各給紙トレイ８〜１０から給紙され作像された転写紙を排紙トレイ１０４側に導かないで、経路切り替えの為の分岐爪１９を下向きに廻す事で、一旦反転ユニット１１２に導き、そして両面給紙ユニット１１１にストックする。
【００３８】
その後、両面給紙ユニット１１１にストックされた転写紙は再び、感光体１５に作像されたトナー画像を転写するために、両面給紙ユニット１１１から再給紙され、経路切り替えの為の分岐爪１９を図示水平に戻し、排紙トレイ１０４に導く。この様に転写紙の両面に画像を作成する場合に、反転ユニット１１２および両面給紙ユニット１１１が使用される。
【００３９】
感光体１５，搬送ベルト１６，定着ユニット１７，排紙ユニット１８および現像ユニット２７は、図示を省略したメインモータによって駆動され、各給紙装置１１〜１３はメインモータの駆動を、やはり図示を省略した各給紙クラッチによって伝達することにより駆動される。縦搬送ユニット１４は、メインモータの駆動を図示を省略した中間クラッチによって伝達することにより駆動される。
【００４０】
図３に、スキャナ２１０およびそれに装着されたＡＤＦ２３０の、原稿画像読み取り機構を示す。このスキャナ２１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには、第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００４１】
スキャナ２１０には、自動原稿供給装置ＡＤＦ２３０が装着されている。ＡＤＦ２３０の原稿トレイ２４１に積載された原稿は、ピックアップローラ２４２およびレジストローラ対２４３で搬送ドラム（プラテン）２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。
【００４２】
原稿の表面の画像は、原稿読取窓である読み取りガラス２４０を通過する際に、その直下に移動している照明ランプ２３２により照射され、原稿の表面の反射光は、第１ミラー２３３以下の光学系を介してＣＣＤ２０７に照射され光電変換される。すなわちＲＧＢ各色画像信号に変換される。搬送ドラム２４４の表面は、読み取りガラス２４０に対向する白色背板であり、白基準面となるように白色である。
【００４３】
また、原稿の裏面の画像は、光源および撮像素子を内蔵する撮像装置４０８で読取られ光電変換される。すなわちＲＧＢ各色画像信号に変換される。撮像装置４０８に対向する白色背板４０９があり、撮像装置４０８と白色背板４０９の間を原稿が通過する。
【００４４】
読み取りガラス２４０と原稿始端の位置決め用のスケール２５１との間には、基準白板２３９、ならびに、第１キャリッジを検出する基点センサ２４９がある。基準白板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。
【００４５】
図４に、図１に示す複写機の画像処理系統のシステム構成を示す。このシステムでは、読取ユニット２１１，センサボードユニットＳＢＵおよび画像データ出力Ｉ／Ｆ(Interface：インターフェイス)２１２でなるカラー原稿スキャナ２１０が、画像データ処理装置ＡＣＰの画像データインターフェース制御ＣＤＩＣ（以下単にＣＤＩＣと表記）に接続されている。画像データ処理装置ＡＣＰにはまた、カラープリンタＰＴＲが接続されている。カラープリンタＰＴＲは、画像データ処理装置ＡＣＰの画像データ処理器ＩＰＰ（Image Processing Processor；以下では単にＩＰＰと記述）から、書込みＩ／Ｆ１３４でＹＭＣＫ記録画像データを受けて、作像ユニット１３５でプリントアウトする。作像ユニット１３５は、図２に示すものである。
【００４６】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリＭＥＭ（メモリモジュール；以下では単にＭＥＭと記述），ハードディスク装置ＨＤＤ（以下では単にＨＤＤと記述），システムコントローラ３１ａ，ＲＡＭ３４，不揮発メモリ３５，フォントＲＯＭ３６，ＣＤＩＣ，ＩＰＰ等、を備える。パラレルバスＰｂには、ファクシミリ制御ユニットＦＣＵ（以下単にＦＣＵと記述）を接続している。操作ボード２２０はシステムコントローラ３１ａに接続している。
【００４７】
カラー原稿スキャナ２１０の、原稿を光学的に読み取る読取ユニット２１１のＣＣＤ２０７および撮像装置２０８の撮像素子のそれぞれが発生するＲＧＢ画像信号は、センサボードユニットＳＢＵ上で信号処理しかつＲＧＢ画像データに変換しかつシェーディング補正して、出力Ｉ／Ｆ２１２を介してＣＤＩＣに送出する。
【００４８】
ＣＤＩＣは、画像データに関し、出力Ｉ／Ｆ２１２，パラレルバスＰｂ，ＩＰＰ間のデータ転送，プロセスコントローラ１３１とＡＣＰの全体制御を司るシステムコントローラ３１ａとの間の通信をおこなう。また、ＲＡＭ１３２はプロセスコントローラ１３１のワークエリアとして使用され、不揮発メモリ１３３はプロセスコントローラ１３１の動作プログラム等を記憶している。
【００４９】
半導体メモリＭＥＭの他に、多くの画像データを収納するためにＨＤＤがある。ＨＤＤを用いる事により、外部電源が不要で永久的に画像を保持できる特徴もある。多くの原稿の画像をスキャナで読み込んでＨＤＤに保持し、また、ＰＣが与える多くのドキュメント画像を保持できる。
【００５０】
画像メモリアクセス制御ＩＭＡＣ（以下では単にＩＭＡＣと記述）は、ＭＥＭおよびＨＤＤに対する画像データ，制御データの書き込み／読み出しを制御する。システムコントローラ３１ａは、パラレルバスＰｂに接続される各構成部の動作を制御する。また、ＲＡＭ３４はシステムコントローラ３１ａのワークエリアとして使用され、不揮発メモリ３５はシステムコントローラ３１ａの動作プログラム等を記憶している。
【００５１】
操作ボード２２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００５２】
スキャナ２１０およびＡＤＦのＣＣＤ２０７および撮像装置２０８で読取ったＲＧＢ画像データは、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、所要時は変倍し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００５３】
ＩＭＡＣは、システムコントローラ３１ａの制御に基づいて、画像データとＭＥＭ，ＨＤＤのアクセス制御，ＬＡＮ上に接続したパソコンＰＣ（以下では単にＰＣと表記）のプリント用データの展開，ＭＥＭ，ＨＤＤの有効活用のための画像データの圧縮／伸張をおこなう。
【００５４】
ＩＭＡＣへ送られた画像データは、データ圧縮後、ＭＥＭ又はＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙（用紙）上に再生画像を形成する。
【００５５】
画像データの流れにおいて、パラレルバスＰｂおよびＣＤＩＣでのバス制御により、デジタル複合機の機能を実現する。ファクシミリ送信は、スキャナ２１０，ＡＤＦ２３０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００５６】
複数ジョブ、たとえば、コピー機能，ファクシミリ送受信機能，プリンタ出力機能が並行に動作する状況において、読取ユニット２１１，作像ユニット１３５およびパラレルバスＰｂの使用権のジョブへの割り振りは、システムコントローラ３１ａおよびプロセスコントローラ１３１において制御する。プロセスコントローラ１３１は画像データの流れを制御し、システムコントローラ３１ａはシステム全体を制御し、各リソースの起動を管理する。また、デジタル複合機の機能選択は、操作ボード２２０においておこなわれ、操作ボード２２０の選択入力によって、画像読取機能，画像データ登録機能，コピー機能，プリント機能，ファクシミリ機能等の処理内容を設定する。
【００５７】
システムコントローラ３１ａとプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ３１ａとプロセスコントローラ１３１間の通信を行う。
【００５８】
各種バスインターフェース、たとえばパラレルバスＩ／Ｆ  ３７、シリアルバスＩ／Ｆ  ３９、ローカルバスＩ／Ｆ  ３３ＡＡおよびネットワークＩ／Ｆ  ３８は、ＩＭＡＣに接続されている。システムコントローラ３１ａは、ＡＣＰ全体の中での独立性を保つために、複数種類のバス経由で関連ユニットと接続する。
【００５９】
システムコントローラ３１ａは、パラレルバスＰｂを介して他の機能ユニットの制御をおこなう。また、パラレルバスＰｂは画像データの転送に供される。システムコントローラ３１ａは、ＩＭＡＣに対して、画像データをＭＥＭ，ＨＤＤに蓄積させるための動作制御指令を発する。この動作制御指令は、ＩＭＡＣ，パラレルバスＩ／Ｆ  ３７、パラレルバスＰｂを経由して送られる。
【００６０】
この動作制御指令に応答して、画像データはＣＤＩＣからパラレルバスＰｂおよびパラレルバスＩ／Ｆ  ３７を介してＩＭＡＣに送られる。そして、画像データはＩＭＡＣの制御によりＭＥＭ又はＨＤＤに格納されることになる。
【００６１】
一方、ＡＣＰのシステムコントローラ３１ａは、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ  ３８を介してプリント出力要求データを受け取る。汎用的なシリアルバス接続の場合、ＩＭＡＣはシリアルバスＩ／Ｆ  ３９経由でプリント出力要求データを受け取る。汎用のシリアルバスＩ／Ｆ  ３９は複数種類の規格に対応している。
【００６２】
ＰＣからのプリント出力要求データはシステムコントローラ３１ａにより画像データに展開される。その展開先はＭＥＭ内のエリアである。展開に必要なフォントデータは、ローカルバスＩ／Ｆ  ３３ａおよびローカルバスＲｂ経由でフォントＲＯＭ３６ａを参照することにより得られる。ローカルバスＲｂは、このコントローラ３１ａを不揮発メモリ３５ａおよびＲＡＭ３４ａと接続する。
【００６３】
シリアルバスＳｂに関しては、ＰＣとの接続のための外部シリアルポート３２ａ以外に、ＡＣＰの操作部である操作ボード２２０との転送のためのインターフェースもある。これはプリント展開データではなく、ＩＭＡＣ経由でシステムコントローラ３１ａと通信し、処理手順の受け付け、システム状態の表示等をおこなう。システムコントローラ３１ａとＭＥＭ，ＨＤＤおよび各種バスとのデータ送受信は、ＩＭＡＣを経由しておこなわれる。ＭＥＭ，ＨＤＤを使用するジョブはＡＣＰ全体の中で一元管理される。
【００６４】
図５に、スキャナ１０およびＡＤＦ２３０の画像読み取りの電気系統の構成を示す。イメージセンサ２０７から出力される電気信号すなわち、Ｒ，Ｇ，Ｂ各色アナログ画像信号はそれぞれ、信号処理２０８で増幅され、Ａ／Ｄ変換２０９によってデジタル画像信号すなわち画像データに変換される。この画像データは、シェーディング補正２１４および変倍２１５の処理段を経て、画像データ処理器ＩＰＰに出力される。Ａ／Ｄ変換２０９では、ディジタル変換した画像データを、黒側のオフセット分となる部分を取り除いたもの（オプティカルブラックの画素信号のレベルを基準黒レベルとする画像データ）に変換する。
【００６５】
撮像装置４０８から出力されるＲ，Ｇ，Ｂ各色アナログ画像信号はそれぞれ、信号処理２０８ａで増幅され、Ａ／Ｄ変換２０９ａによって画像データに変換され、シェーディング補正２１４ａおよび変倍２１５ａの処理段を経て、画像データ処理器ＩＰＰに出力される。
【００６６】
スキャナ制御回路２０６は、システムコントローラ３１ａおよびプロセスコントローラ１３１からの指示に従って、点灯タイミング制御回路２０５，信号処理タイミング制御回路２１３及びモータ制御ユニット２６０を制御する。点灯タイミング制御回路２０５は、スキャナ制御回路２０６からの指示に従って露光ランプ２３２（２３２ａ，２３２ｂ）のオン／オフを制御するとともに、信号処理タイミング制御回路２１３を介してプロセスコントローラ１３１が指示する照度（光量）に露光ランプ２３２の明るさ（時系列平均値又は平滑値）を定める。なお、参照符号２３２ａ，２３２ｂを総括的に参照符号２３２で示すことがある。
【００６７】
モータ制御ユニット２６０は、スキャナ制御回路２０６からの指示に従って、副走査駆動モータ２３８及びＡＤＦモータ２２４を制御する。これらモータは、いずれもステッピングモータであり、駆動系統の軸にはロータリエンコーダ（Ｅ）２２１及び２２５が連結されている。第１キャリッジの走査位置（ｙ）および駆動量ならびにＡＤＦ送り原稿の先，後端位置および送り量は、各ロータリエンコーダ２２１，２２５が発生する電気パルスを計数して把握される。図５に示す紙センサ２２３は、ＡＤＦ３０の原稿トレイ２４１上に原稿があるかを検知するもの，ペーパジャム検知のもの及び原稿サイズ検知のものを含む。
【００６８】
信号処理タイミング制御回路２１３は、スキャナ制御回路２０６，システムコントローラ３１ａ及びプロセスコントローラ１３１からの指示あるいは制御信号に従って、各種信号を生成する。即ち、画像読み取りを開始すると、イメージセンサ２０７に対しては、シフトゲート信号ＳＨ，転送クロックΦ１，Φ２，リセット信号ＲＳおよびクランプゲート信号ＣＬＰ等を含む制御信号を与え、システムコントローラ３１ａに対しては、画素同期クロックパルスＣＬＫ，ライン同期信号ＬＳＹＮＣ及び主走査有効期間信号ＬＧＡＴＥを出力する。この画素同期クロックパルスＣＬＫは、イメージセンサ２０７に与えるシフトクロックと略同一の信号である。また、ライン同期信号ＬＳＹＮＣは、プリンタ１００の作像ユニット１３５のビームセンサが出力するライン同期信号ＭＳＹＮＣと対応する信号であるが画像読み取りを行なっていない時は出力が禁止される。主走査有効期間信号ＬＧＡＴＥは、イメージセンサ２０７が出力する画信号が有効と見なせるタイミングで高レベルＨになる。
【００６９】
スキャナ制御回路２０６は、プロセスコントローラ１３１から読み取り開始指示を受けると、スイッチングレギュレータ２０３への制御信号Ｓｅを電源出力オンを指示するレベルに切換え、信号処理タイミング制御回路２１３（の制御信号発生）を制御してイメージセンサ２０７の読み取りを開始し、露光ランプ２３２を点灯し、副走査駆動モータ２３８（手差しモード）又はＡＤＦモータ（ＡＤＦモード）を駆動開始する。また、副走査有効期間信号ＦＧＡＴＥを高レベルＨ（原稿領域外）にセットする。この信号ＦＧＡＴＥは、手差しモードでは第１キャリッジが原稿始端位置（ホームポジションＨＰからａ＋ｂの位置）に達したときに、原稿領域内を示すＬに切り替えられ、ＡＤＦモードでは、レジストローラからの原稿（先端）の送り出し搬送量が、ＡＤＦ３０を使用するシートスルー画像読取りモードでの原稿読み取り位置であるＨＰ位置（「レジストローラ２４３から基点センサ２４９までの送り量Ｄｆ」−「ＨＰから基点センサ２４９までの送り量ａ」）に達したときに原稿領域内を示すＬに切り替えられる。そして、手差しモードでは原稿尾端を第１キャリッジが通過すると、ＡＤＦモードでは原稿尾端がＨＰを通過すると、副走査有効期間信号ＦＧＡＴＥは原稿領域外を示すＨに戻される。
【００７０】
読み取りユニット２１１の交流入力回路２０１には商用交流が印加され、直流電源回路２０２が商用交流を直流に変換する。スイッチングレギュレータ２０３が、直流電圧を昇圧直流に変換して定電圧に制御し、インバータを含む駆動回路２０４ａ，２０４ｂに放電灯電源として印加する。駆動回路２０４ａ，２０４ｂの各インバータが、点灯タイミング制御回路２０５が与える各点灯制御信号ＴＧ１，ＴＧ２に応答して、それが点灯指示である低レベルＬの間高電圧直流を高電圧交流に変換して各露光ランプ２３２ａ，２３２ｂに印加する。露光ランプ２３２ａ，２３２ｂは放電灯であり、該高電圧交流によって駆動されて発光し、原稿を照明する。各点灯制御信号ＴＧ１，ＴＧ２の高レベルＨは消灯指示であり、各点灯制御信号ＴＧ１，ＴＧ２が高レベルＨに切換わると駆動回路２０４ａ，２０４ｂの各インバータが、高電圧直流の高電圧交流への変換を停止し、すなわち露光ランプへの高電圧交流出力を停止し、これにより露光ランプ２３２ａ，２３２ｂが消灯する。
【００７１】
図６に、点灯タイミング制御回路２０５の概要を示す。この実施例では、１ラインの画素信号出力毎に原稿を照明する露光ランプ２３２ａ，２３２ｂを切換えて、画像読取の間露光ランプ２３２ａと２３２ｂとを交互に点灯駆動するようにしている。この交互駆動のために、振り分け回路３００が備わっており、信号処理タイミング制御回路２１３が与えるシフトゲート信号ＳＨを点灯時間制御回路３１０と３２０に交互に与える。たとえば奇数番目のシフトゲート信号ＳＨは点灯時間制御回路３１０に、偶数番目のシフトゲート信号ＳＨは点灯時間制御回路３２０に与える。以下では、点灯時間制御回路３１０に与えられるシフトゲート信号ＳＨをＳＨ１と表示し、点灯時間制御回路３２０に与えられるシフトゲート信号ＳＨをＳＨ２と表示する。以下では、点灯タイミング制御回路２０５の入出力信号を示す図７も参照されたい。
【００７２】
振り分け回路３００に奇数番目のシフトゲート信号ＳＨ（ＳＨ１）が入るとき、それがアンドゲート３０１を通ってフリップフロップ３０３のセット入力端Ｓに加わり、該シフトゲート信号ＳＨの立ち上がりエッジでフリップフロップ３０３がセットされてそのＱ出力がＬからＨに、Ｑバー（アッパラインつきＱ）出力がＨからＬに切換わって、シフトゲート信号ＳＨがアンドゲート３０４から第１点灯時間制御回路３１０に入る。このときＱバー出力がＬに切換わっているのでアンドゲート３０５がオフであり、点灯時間制御回路３２０にはシフトゲート信号ＳＨが入らない。振り分け回路３００に偶数番目のシフトゲート信号ＳＨ（ＳＨ２）が入るとき、それがアンドゲート３０２を通ってフリップフロップ３０３のリセット入力端Ｒに加わり、該シフトゲート信号ＳＨの立ち上がりエッジでフリップフロップ３０３がリセットされてそのＱ出力がＨからＬに、Ｑバー出力がＬからＨに切換わって、シフトゲート信号ＳＨがアンドゲート３０５から第２点灯時間制御回路３２０に入る。このときＱ出力がＬに切換わっているのでアンドゲート３０４がオフであり、点灯時間制御回路３１０にはシフトゲート信号ＳＨが入らない。このような動作により、シフトゲート信号ＳＨが点灯時間制御回路３１０と３２０に交互に与えられる。
【００７３】
第１点灯時間制御回路３１０の、第１カウンタ３１１は第１タイミングデータＯｂｅ１を、第２カウンタ３１４は第２タイミングデータＤｄ１を、到来したシフトゲート信号ＳＨ１の立下り点でロードして、それぞれ転送クロックφ１のカウントを開始する。なお、第１および第２カウンタ３１１，３１４はシフトゲート信号ＳＨ１が立ち下がるまでＳＨ１によってクリアされる。
【００７４】
第１タイミングデータＯｂｅ１は、シフトゲート信号ＳＨが発生してからＣＣＤの受光部の１ライン上の光電変換ピクセル列の先端部の完全に遮光されたオプティカルブラックの画素信号の出力が終わるまでの転送クロックφ１の発生数以上の数値を表す第１指定データであり、第２タイミングデータＤｄ１は、露光ランプ２０４ａの発光光量を適値にする点灯デューティ（１００×点灯時間／ＳＨ周期  ％）すなわち点灯比、を実現するための、ＳＨ周期内の消灯時間の間の転送クロックφ１の発生数を表す第２指定データである。
【００７５】
これら第１，第２指定データＯｂｅ１，Ｄｄ１は、操作ボード２２０の不揮発メモリに露光ランプ２０４ａの制御データとして保持され、操作ボード２２０に対するオペレータの初期設定入力操作，調整入力操作によって設定変更あるいは調整されるものであって、原稿スキャナ２１０に電源が投入された直後に信号処理タイミング制御回路２１３に転送されてその出力ポート（ラッチ又はレジスタ）に保持されて第１点灯時間制御回路３１０の第１，第２カウンタ３１１，３１４のプリセットデータ入力端に与えられているものである。Ｄｄ１を可変することで露光ランプ２３２ａを消灯する期間（ＴＧ１＝Ｈ）を図７に点線で示すように可変して、蓄積時間（ＳＨの１周期）当たりの露光量を変化させることができる。
【００７６】
露光ランプ２０４ｂの制御データである第１，第２指定データＯｂｅ２，Ｄｄ２も同様に、操作ボード２２０の不揮発メモリに保持され、操作ボード２２０に対するオペレータの初期設定入力操作，調整入力操作によって設定変更あるいは調整されるものであって、原稿スキャナ２１０に電源が投入された直後に信号処理タイミング制御回路２１３に転送されてその出力ポートに保持されて第２点灯時間制御回路３２０の第１，第２カウンタ３２１，３２４のプリセットデータ入力端に与えられているものである。
【００７７】
第１点灯時間制御回路３１０の第１カウンタ３１１は、第１指定データＯｂｅ１をロードしてから、転送パルスφ１のカウントを開始して、転送パルスφ１がＯｂｅ１が表わす数分到来した時点にカウント完了信号（カウントオーバ信号）を発生してフリップフロップ３１２をセットする。これによりフリップフロップ３１２のＱ出力が図７に示すタイミングでＬ（消灯指示）からＨ（消灯解除）に切り換わる。第１点灯時間制御回路３１０の第２カウンタ３２１は、第２指定データＤｄ１をロードしてから、転送パルスφ１のカウントを開始して、転送パルスφ１がＤｄ１が表わす数分到来した時点にカウント完了信号（カウントオーバ信号）を発生してフリップフロップ３１５をセットする。これによりフリップフロップ３１５のＱ出力が図７に示すタイミングでＬ（消灯指示）からＨ（点灯指示）に切換わる。これらのフリップフロップ３１２，３１５は、ＳＨ１からシフトゲート信号ＳＨの１周期後に発生するＳＨ２の立ち上り点でリセットされ、それらのＱ出力が共にＬ（消灯指示）に切換わる。
【００７８】
ナンドゲート３１３に両フリップフロップ３１２，３１５のＱ出力が与えられ、その出力ＴＧ１は、両Ｑ出力の少なくとも一方がＬ（消灯指示）の間Ｈ（消灯指示）、両Ｑ出力が共にＨ（消灯解除，点灯指示）の間Ｌ（点灯指示）となり、駆動回路２０４ａに点灯制御信号ＴＧ１として与えられる。これにより、露光ランプ２０４ａは、図７に示すＴＧ１（＝Ｈ）と次のＴＧ２（＝Ｈ）の間（Ｌ）のみ点灯し、他の期間では消灯である。
【００７９】
第２点灯時間制御回路３２０の構成および動作は第１点灯時間制御回路３１０と同様であり、上述の動作説明を、ＳＨ１をＳＨ２に、ＳＨ２をＳＨ１に、Ｏｂｅ１をＯｂｅ２に、またＤｄ１をＤｄ２に読み替えたものとなる。第２点灯時間制御回路３２０の出力は、駆動回路２０４ｂに点灯制御信号ＴＧ２として与えられる。これにより、露光ランプ２０４ｂは、図７に示すＴＧ２（＝Ｈ）と次のＴＧ１（＝Ｈ）の間（Ｌ）のみ点灯し、他の期間では消灯である。
【００８０】
信号処理タイミング制御回路２１３には操作ボード２２０の原稿読取コマンドに含まれる読取モード信号Ｓｍが、システムコントローラ３１ａから与えられる。信号処理タイミング制御回路２１３は読取モード信号Ｓｍがカラー読取モードを指定するものであるときには、カラー読取モード用の、制御信号（ＳＨ，Φ１，Φ２，ＲＳ，ＣＬＰ等）を発生してＣＣＤ２０７および点灯タイミング制御回路２０５に与えると共に、カラー読取モード用のデータＯｂｅ１，Ｏｂｅ２，Ｄｄ１，Ｄｄ２を点灯タイミング制御回路２０５に与える。読取モード信号Ｓｍがモノクロ読取モードを指定するものであるときには、信号処理タイミング制御回路２１３は、モノクロ読取モード用の制御信号（ＳＨ，Φ１，Φ２，ＲＳ，ＣＬＰ等）を発生し、モノクロ読取モード用のデータＯｂｅ１，Ｏｂｅ２，Ｄｄ１，Ｄｄ２を点灯タイミング制御回路２０５に与える。
【００８１】
これらの、カラー読取モード用のデータＯｂｅ１，Ｏｂｅ２，Ｄｄ１，Ｄｄ２およびモノクロ読取モード用のデータＯｂｅ１，Ｏｂｅ２，Ｄｄ１，Ｄｄ２は、操作ボード２２０の不揮発メモリに露光ランプ２０４ａの制御データとして保持され、操作ボード２２０に対するオペレータの初期設定入力操作，調整入力操作によって設定変更あるいは調整されるものであって、原稿スキャナ２１０に電源が投入された直後に信号処理タイミング制御回路２１３に転送されてその出力ポート（ラッチ又はレジスタ）に保持されて第１点灯時間制御回路３１０の第１，第２カウンタ３１１，３１４のプリセットデータ入力端に与えられる。
【００８２】
図８に示すように、カラー読取モードとモノクロ読取モードとでは、ライン周期（蓄積時間）が異なるので、ＳＨその他の制御信号の周期が異なり、Ｏｂｅ１，Ｏｂｅ２，Ｄｄ１，Ｄｄ２のデータ値も異なる。シフトゲート信号ＳＨの周期は、カラー読取モード時の方がシフモノクロ読取モード時よりも長い。このようにライン周期（蓄積時間）が異なっても、データＯｂｅ１，Ｏｂｅ２，Ｄｄ１，Ｄｄ２を、カラー読取モード用のものとモノクロ読取モード用のものとを別個に保持し、個別に設定し調整することで、撮像装置ごとに、リニアイメージセンサの露光量の調整が行える。
【実施例２】
【００８３】
図９に、第２実施例の点灯タイミング制御回路２０５を示す。図９に示す点灯タイミング制御回路２０５および信号処理タイミング制御回路２１３以外のハードウエアおよび機能は、上述の第１実施例と同様である。
【００８４】
図９に示す振り分け回路３００は図６にしめすものと同一の構成および機能であり、シフトゲート信号ＳＨの奇数番目のものＳＨ１を点灯時間制御回路３１０に、偶数番目のものＳＨ２を点灯時間制御回路３２０に与える。第１点灯時間制御回路３１０の第１カウンタ３１１は、第１実施例のものと同じく第１タイミングデータ（第１指定データ）Ｏｂｅ１を、シフトゲート信号ＳＨ１の立下り点でロードして、転送クロックφ１のカウントを開始し、第１指定データＯｂｅ１をロードしてから、転送パルスφ１のカウントを開始して、転送パルスφ１がＯｂｅ１が表わす数分到来した時点にカウント完了信号（カウントオーバ信号）を発生してフリップフロップ３１２をセットする。これによりフリップフロップ３１２のＱバー出力（ＴＧ１）が図１０に示すタイミングでＨ（消灯指示）からＬ（点灯指示）に切り換わる。
【００８５】
第２カウンタ３１４が、第１カウンタ３１１のカウントオーバ信号（Ｈ）でクリアされてカウントオーバ信号（Ｈ）の立下り点で第２タイミングデータ（第２指定データ）Ｄｄ３をロードして、転送クロックφ１のカウントを開始し、第２指定データＤｄ３をロードしてから、転送パルスφ１のカウントを開始して、転送パルスφ１がＤｄ３が表わす数分到来した時点にカウントオーバ信号を発生してフリップフロップ３１２をリセットする。これによりフリップフロップ３１２のＱバー出力（ＴＧ１）が図１０に示すタイミングでＬ（点灯指示）からＨ（消灯指示）に切り換わる。
【００８６】
第２タイミングデータＤｄ３は、露光ランプ２０４ａの発光光量を適値にする点灯デューティ（１００×点灯時間／ＳＨ周期  ％）すなわち点灯比、を実現するための、ＳＨ周期内の点灯時間の間の転送クロックφ１の発生数を表す第２指定データである。第２指定データＤｄ１を可変することで、露光ランプ２３２ａを点灯する期間（図１０に示すＴＧ１＝Ｌ）を可変して、蓄積時間（ＳＨの１周期）当たりの露光量を変化させることができる。
【００８７】
図９に示す第２点灯時間制御回路３２０の構成および動作は、図９に示す第１点灯時間制御回路３１０と同様であり、上述の動作説明を、ＳＨ１をＳＨ２に、ＳＨ２をＳＨ１に、Ｏｂｅ１をＯｂｅ２に、またＤｄ３をＤｄ４に読み替えたものとなる。第２点灯時間制御回路３２０の出力は、駆動回路２０４ｂに点灯制御信号ＴＧ２として与えられる。これにより、露光ランプ２０４ｂは、図１０に示すＴＧ２（＝Ｈ）と次のＴＧ１（＝Ｈ）の間（Ｌ）のみ点灯し、他の期間では消灯である。
【図面の簡単な説明】
【００８８】
【図１】本発明の第１実施例の画像形成装置であるフルカラー複合機能複写機の正面図である。
【図２】図１に示すフルカラープリンタＰＴＲの作像機構の概要を示す拡大縦断面図である。
【図３】図１に示すフルカラー原稿スキャナ２１０およびＡＤＦ２３０の原稿画像読取機構の概要を示す拡大縦断面図である。
【図４】図１に示すフルカラー複合機能複写機の画像処理システム構成を示すブロック図である。
【図５】図３に示すフルカラー原稿スキャナ２１０およびＡＤＦ２３０の原稿画像読取機構の制御および読取処理システム構成を示すブロック図である。
【図６】図５に示す点灯タイミング制御回路２０５の構成を示すブロック図である。
【図７】図６に示す点灯タイミング制御回路２０５の入出力信号の変化を示すタイムチャートである。
【図８】図６に示す点灯タイミング制御回路２０５の入出力信号の変化を示すタイムチャートであり、（ａ）はカラー読取モードが指定されているときのもの、（ｂ）はモノクロ読取モードが指定されているときのものである。
【図９】第２実施例の画像形成装置であるフルカラー複合機能複写機の点灯タイミング制御回路２０５の構成を示すブロック図である。
【図１０】図９に示す点灯タイミング制御回路２０５の入出力信号の変化を示すタイムチャートである。
【図１１】公知のＣＣＤの、１ライン出力の先頭部の入出力信号の変化を示すタイムチャートである。
【図１２】公知のＣＣＤの１ライン出力の全長での入出力信号の変化を示すタイムチャートである。
【図１３】公知のＣＣＤの、１ライン出力の先頭部の入出力信号の変化を示すタイムチャートであり、露光ランプの消灯から点灯への切換り時に現れることがあるＧＮＤラインのノイズを示す。
【符号の説明】
【００８９】
８：第１トレイ
９：第２トレイ      １０：第３トレイ
１１：第１給紙装置  １２：第２給紙装置
１３：第３給紙装置  １４：縦搬送ユニット
１５：感光体        １６：搬送ベルト
１７：定着ユニット  １８：排紙ユニット
１９：分岐爪        ２６：搬送モータ
２７：現像器        １００：フィニシャ
１０１：切り替え板  １０３：排紙ローラ
１０４：排紙トレイ  １０５：搬送ローラ
１０６：ステープラ  １０７：搬送ローラ
１０８：ステープル台
１０９：ジョガー    １１０：排紙トレイ
１１１：両面給紙ユニット
１１２：反転ユニット
２０７：ＣＣＤ
２２１，２２５：ロータリエンコーダ
２２４：ステッピングモータ
２３１：原稿台ガラス    ２３２：照明ランプ
２３３：第１ミラー      ２３４：第２ミラー
２３５：第３ミラー      ２３６：レンズ
２０７：イメージセンサ  ２３８：ステッピングモータ
２３９：基準白板      ２４０：ガラス
２４１：原稿トレイ    ２４２：ピックアップローラ
２４３：レジストローラ対  ２４４：搬送ドラム
２４５：押さえローラ  ２４６，２４７：排紙ローラ
２４８：排紙トレイ兼用の圧板
２４９：基点センサ      ２５０：軸
２５１：スケール        ２６０：モータ制御ユニット
３１１，３２１：第１カウンタ
３１４，３２４：第２カウンタ
４０８：撮像装置        ４０９：白色背板
【図１】
2005117222.tif 000003
【図２】
2005117222.tif 000004
【図３】
2005117222.tif 000005
【図４】
2005117222.tif 000006
【図５】
2005117222.tif 000007
【図６】
2005117222.tif 000008
【図７】
2005117222.tif 000009
【図８】
2005117222.tif 000010
【図９】
2005117222.tif 000011
【図１０】
2005117222.tif 000012
【図１１】
2005117222.tif 000013
【図１２】
2005117222.tif 000014
【図１３】
2005117222.tif 000015